(57)【要約】【課題】番組を収録できなくなることを、低コストで防止可能な放送用システムおよび放送番組管理方法を提供する。【解決手段】ＨＤ用収録サーバー１０は、ＨＤベースバンド信号の収録用コンテンツを、ＭＰＥＧ２形式の１００Ｍｂｐｓのデータファイルに変換し、そのデータファイルを、放送用コンテンツとして、ＨＤ用ストレージ１に収録する。ＳＤ用収録サーバー１１は、ＳＤベースバンド信号の収録用コンテンツを、ＭＰＥＧ２形式の２０Ｍｂｐｓのデータファイルに変換し、そのデータファイルを、予備コンテンツとして、ＳＤ用ストレージ２に収録する。試写用エンコーダ１２は、ＳＤベースバンド信号の収録用コンテンツを、ＭＰＥＧ４形式の５００Ｋｂｐｓのデータファイルに変換し、そのデータファイルを、試写用コンテンツとして、試写用ストレージ３に収録する。【選択図】図１
2008124887.tif 000002
【特許請求の範囲】
【請求項１】
コンテンツを収録し、該コンテンツを放送する放送用システムであって、
第１、第２および第３の格納装置と、
前記コンテンツを受け付ける受付装置と、
前記受付装置にて受け付けられたコンテンツを分配する分配装置と、
前記分配装置にて分配されたコンテンツを、第１の精細度で、放送用コンテンツとして、前記第１の格納装置に収録する第１の収録装置と、
前記分配装置にて分配されたコンテンツを、前記第１の精細度より粗い第２の精細度で、予備コンテンツとして、前記第２の格納装置に収録する第２の収録装置と、
前記分配装置にて分配されたコンテンツを、前記第２の精細度より粗い第３の精細度で、試写用コンテンツとして、前記第３の格納装置に収録する第３の収録装置と、
前記第１、第２および第３の収録装置の収録動作を同期させる収録制御装置と、
前記第１の格納装置に収録された放送用コンテンツを、放送番組として送出する送出装置と、を含む放送用システム。
【請求項２】
請求項１に記載の放送用システムにおいて、
前記第１の格納装置に収録された放送用コンテンツを、前記第２の精細度で、前記予備コンテンツとして、前記第２の格納装置に収録する第４の収録装置を、さらに含む、放送用システム。
【請求項３】
請求項１または２に記載の放送用システムにおいて、
前記第２の格納装置に収録された予備コンテンツを、前記第３の精細度で、前記試写用コンテンツとして、前記第３の格納装置に収録する第５の収録装置を、さらに含む、放送用システム。
【請求項４】
請求項１ないし３のいずれか１項に記載の放送用システムにおいて、
前記送出装置は、
第４および第５の格納装置と、
前記第１の格納装置に収録された放送用コンテンツを、番組コンテンツとして、前記第４の格納装置に収録する第１の転送装置と、
前記第１の格納装置に収録された放送用コンテンツを、前記番組コンテンツとして、前記第５の格納装置に収録する第２の転送装置と、
前記第４の格納装置に収録された番組コンテンツを前記放送番組として送出する第１の番組送出装置と、
前記第５の格納装置に収録された番組コンテンツを前記放送番組として送出する第２の番組送出装置と、を含み、
前記第１の収録装置は、送出指示を受け付けた場合に、前記１の格納装置に収録された放送用コンテンツを、前記放送番組として前記送出装置からの送出に代えて送出する、放送用システム。
【請求項５】
請求項４に記載の放送用システムにおいて、
前記第２の収録装置は、送出指示を受け付けた場合に、前記２の格納装置に収録された予備コンテンツを、前記放送番組として前記第１の収録装置からの送出に代えて送出する、放送用システム。
【請求項６】
請求項１ないし５のいずれか１項に記載の放送用システムにおいて、
前記第１の精細度は、ＨＤＴＶ方式に対応する精細度であり、
前記第２の精細度は、ＳＤＴＶ方式に対応する精細度である、放送用システム。
【請求項７】
第１、第２および第３の格納装置を含み、コンテンツを収録し、該コンテンツを放送する放送用システムが行う放送番組管理方法であって、
前記コンテンツを受け付ける受付ステップと、
前記受け付けられたコンテンツを分配する分配ステップと、
前記分配されたコンテンツを、第１の精細度で、放送用コンテンツとして、前記第１の格納装置に収録する第１の収録ステップと、
前記分配されたコンテンツを、前記第１の精細度より粗い第２の精細度で、予備コンテンツとして、前記第２の格納装置に収録する第２の収録ステップと、
前記分配されたコンテンツを、前記第２の精細度より粗い第３の精細度で、試写用コンテンツとして、前記第３の格納装置に収録する第３の収録ステップと、
前記第１、第２および第３の収録ステップを同期させる収録制御ステップと、
前記第１の格納装置に収録された放送用コンテンツを、放送番組として送出する送出ステップと、を含む放送番組管理方法。
【請求項８】
請求項７に記載の放送番組管理方法において、
前記第１の格納装置に収録された放送用コンテンツを、前記第２の精細度で、前記予備コンテンツとして、前記第２の格納装置に収録する第４の収録ステップを、さらに含む、放送番組管理方法。
【請求項９】
請求項７または８に記載の放送番組管理方法において、
前記第２の格納装置に収録された予備コンテンツを、前記第３の精細度で、前記試写用コンテンツとして、前記第３の格納装置に収録する第５の収録ステップを、さらに含む、放送番組管理方法。
【請求項１０】
請求項７ないし９のいずれか１項に記載の放送番組管理方法において、
前記放送用システムは、第４および第５の格納装置をさらに含み、
前記送出ステップは、
前記第１の格納装置に収録された放送用コンテンツを、番組コンテンツとして、前記第４の格納装置に収録する第１の転送ステップと、
前記第１の格納装置に収録された放送用コンテンツを、前記番組コンテンツとして、前記第５の格納装置に収録する第２の転送ステップと、
前記第４の格納装置に収録された番組コンテンツを前記放送番組として送出する第１の番組送出ステップと、
前記第５の格納装置に収録された番組コンテンツを前記放送番組として送出する第２の番組送出ステップと、を含み、
送出指示を受け付けた場合に、前記１の格納装置に収録された放送用コンテンツを、前記放送番組として、前記第１および第２の番組送出ステップでの送出に代えて送出する第３の番組送出ステップを、さらに含む、放送番組管理方法。
【請求項１１】
請求項１０に記載の放送番組管理方法において、
送出指示を受け付けた場合に、前記２の格納装置に収録された予備コンテンツを、前記放送番組として、前記第３の番組送出ステップでの送出に代えて送出する第４の番組送出ステップを、さらに含む、放送番組管理方法。
【請求項１２】
請求項７ないし１１のいずれか１項に記載の放送番組管理方法において、
前記第１の精細度は、ＨＤＴＶ方式に対応する精細度であり、
前記第２の精細度は、ＳＤＴＶ方式に対応する精細度である、放送番組管理方法。
【発明の詳細な説明】
【技術分野】
【０００１】
本発明は、放送用システムおよび放送番組管理方法に関し、特には、放送用のコンテンツ（例えば、音声付動画データ）を収録し、そのコンテンツを放送する放送用システムおよび放送番組管理方法に関する。
【背景技術】
【０００２】
現在、地上波デジタル放送用のハイビジョン番組、すなわちＨＤ（High Definition）ＴＶ方式の番組が、放送用システムから放送されている。ＨＤＴＶ方式の番組は、地上波アナログ放送用のＳＤ（Standard Definition）ＴＶ方式の番組より高精細であるため、データ量がＳＤＴＶ方式の番組より多い。
【０００３】
ＨＤＴＶ方式の番組は、一旦、放送用システムの記録媒体に収録され、その後、放送用システムから放送される。
【０００４】
放送用システムには、機器の故障により番組の放送が途絶えることを避けるために、現用系（１系）の送出装置と、予備系（２系）の送出装置とが備えられている。１系の送出装置と２系の送出装置は、同期して同じ番組を送出する。
【０００５】
１系の送出装置の出力と２系の送出装置の出力は、シームレススイッチャーに入力する。シームレススイッチャーは、通常は、１系の送出装置の出力を放送し、１系の送出装置が故障した場合、予備の２系の送出装置の出力を放送する。
【０００６】
なお、特許文献１（特開２００６−１３９１２号公報）には、同等な信号送出をする場合に送出用サーバーを２重化する技術が記載されている。
【０００７】
また、放送用システムは、ＨＤＴＶ方式の番組の精細度を落として試写用番組を生成する。放送局のユーザは、その試写用番組を試写できる。
【特許文献１】特開２００６−１３９１２号公報
【発明の開示】
【発明が解決しようとする課題】
【０００８】
ＨＤＴＶ方式の番組を収録するための記録媒体、または、ＨＤＴＶ方式の番組を記録媒体に収録する収録装置が故障してしまうと、ＨＤＴＶ方式の番組が収録されなくなり、その番組を放送できなくなる。
【０００９】
番組を収録できなくなることを防止するために、放送用システムに、正式な記録媒体のほかに、予備の記録媒体を設け、その予備の記録媒体にもＨＤＴＶ方式の番組を収録することが考えられる。
【００１０】
しかしながら、ＨＤＴＶ方式の番組はデータ量が多いので、予備の記録媒体は、正式な記録媒体と同様に、大きな記録容量を有さなければならず、コストがかかる。
【００１１】
本発明の目的は、番組を収録できなくなることを、低コストで防止可能な放送用システムおよび放送番組管理方法を提供することである。
【課題を解決するための手段】
【００１２】
上記目的を達成するために、本発明の放送用システムは、コンテンツを収録し、該コンテンツを放送する放送用システムであって、第１、第２および第３の格納装置と、前記コンテンツを受け付ける受付装置と、前記受付装置にて受け付けられたコンテンツを分配する分配装置と、前記分配装置にて分配されたコンテンツを、第１の精細度で、放送用コンテンツとして、前記第１の格納装置に収録する第１の収録装置と、前記分配装置にて分配されたコンテンツを、前記第１の精細度より粗い第２の精細度で、予備コンテンツとして、前記第２の格納装置に収録する第２の収録装置と、前記分配装置にて分配されたコンテンツを、前記第２の精細度より粗い第３の精細度で、試写用コンテンツとして、前記第３の格納装置に収録する第３の収録装置と、前記第１、第２および第３の収録装置の収録動作を同期させる収録制御装置と、前記第１の格納装置に収録された放送用コンテンツを、放送番組として送出する送出装置と、を含む。
【００１３】
また、本発明の放送番組管理方法は、第１、第２および第３の格納装置を含み、コンテンツを収録し、該コンテンツを放送する放送用システムが行う放送番組管理方法であって、前記コンテンツを受け付ける受付ステップと、前記受け付けられたコンテンツを分配する分配ステップと、前記分配されたコンテンツを、第１の精細度で、放送用コンテンツとして、前記第１の格納装置に収録する第１の収録ステップと、前記分配されたコンテンツを、前記第１の精細度より粗い第２の精細度で、予備コンテンツとして、前記第２の格納装置に収録する第２の収録ステップと、前記分配されたコンテンツを、前記第２の精細度より粗い第３の精細度で、試写用コンテンツとして、前記第３の格納装置に収録する第３の収録ステップと、前記第１、第２および第３の収録ステップを同期させる収録制御ステップと、前記第１の格納装置に収録された放送用コンテンツを、放送番組として送出する送出ステップと、を含む。
【００１４】
上記発明によれば、第１、第２および第３の収録装置の収録動作が同期する。よって、同一のコンテンツが、異なる精細度で、第１、第２および第３の格納装置のそれぞれに収録される。
【００１５】
また、第２の格納装置には、精細度が放送用コンテンツには劣るが試写用コンテンツには勝るコンテンツが、予備コンテンツとして収録される。
【００１６】
このため、予備コンテンツが、放送用コンテンツの予備として用いられれば、試写用コンテンツより高品位のコンテンツを、放送用コンテンツの代わりに提供することが可能になる。
【００１７】
また、予備コンテンツは、精細度が放送用コンテンツより劣るため、データ量が放送用コンテンツより少ない。このため、第２の格納装置の記録容量を、第１の格納装置の記録容量よりも少なくでき、コストの削減が図れる。
【００１８】
なお、前記放送用システムは、前記第１の格納装置に収録された放送用コンテンツを、前記第２の精細度で、前記予備コンテンツとして、前記第２の格納装置に収録する第４の収録装置を、さらに含むことが望ましい。
【００１９】
上記発明によれば、第２の収録装置に不具合が生じても、第２の格納装置に予備コンテンツを収録することが可能になる。
【００２０】
前記放送用システムは、前記第２の格納装置に収録された予備コンテンツを、前記第３の精細度で、前記試写用コンテンツとして、前記第３の格納装置に収録する第５の収録装置を、さらに含むことが望ましい。
【００２１】
上記発明によれば、第３の収録装置に不具合が生じても、第３の格納装置に試写用コンテンツを収録することが可能になる。
【００２２】
前記送出装置は、第４および第５の格納装置と、前記第１の格納装置に収録された放送用コンテンツを、番組コンテンツとして、前記第４の格納装置に収録する第１の転送装置と、前記第１の格納装置に収録された放送用コンテンツを、前記番組コンテンツとして、前記第５の格納装置に収録する第２の転送装置と、前記第４の格納装置に収録された番組コンテンツを前記放送番組として送出する第１の番組送出装置と、前記第５の格納装置に収録された番組コンテンツを前記放送番組として送出する第２の番組送出装置と、を含み、前記第１の収録装置は、送出指示を受け付けた場合に、前記１の格納装置に収録された放送用コンテンツを、前記放送番組として前記送出装置からの送出に代えて送出することが望ましい。
【００２３】
上記発明によれば、第１および第２の番組送出装置から番組を送出できなくても、第１の収録装置から放送番組を送出することが可能になる。よって、送出系統が３重化され、番組を放送できなくなる不都合を高い確率で回避可能となる。
【００２４】
前記第２の収録装置は、送出指示を受け付けた場合に、前記２の格納装置に収録された予備コンテンツを、前記放送番組として前記第１の収録装置からの送出に代えて送出することが望ましい。
【００２５】
上記発明によれば、第１および第２の番組送出装置と第１の収録装置とから番組を送出できなくても、第２の収録装置から放送番組を送出することが可能になる。よって、送出系統が４重化され、番組を放送できなくなる不都合を高い確率で回避可能となる。
【００２６】
前記第１の精細度は、ＨＤＴＶ方式に対応する精細度であり、前記第２の精細度は、ＳＤＴＶ方式に対応する精細度であることが望ましい。
【００２７】
上記発明によれば、予備コンテンツは、ＳＤＴＶ方式に準じることになり、例えば、予備コンテンツが、放送番組として送出されても、視聴者は、その放送番組を、地上波アナログ放送用の番組と同様に認識することが可能になる。
【発明の効果】
【００２８】
本発明によれば、番組を収録できなくなることを、低コストで、防止することが可能になる。
【発明を実施するための最良の形態】
【００２９】
以下、本発明の実施例を図面を参照して説明する。
【００３０】
図１は、本発明の一実施例の放送用システムを示したブロック図である。
【００３１】
図１において、放送用システムは、放送局にて使用され、ＨＤ用ストレージ１と、ＳＤ用ストレージ２と、試写用ストレージ３と、送出１系用ストレージ４と、送出２系用ストレージ５と、マトリクススイッチャー６と、マトリクススイッチャー制御装置７と、信号分配装置８と、信号変換装置９と、ＨＤ用収録サーバー１０と、ＳＤ用収録サーバー１１と、試写用エンコーダ１２と、収録制御装置１３と、収録・編集系管理サーバー１４と、ファイル変換装置１５と、ファイル変換装置１６と、ＨＤ用ノンリニア編集機１７と、ＳＤ用ノンリニア編集機１８と、送出装置１９と、送出１系用転送用装置２０と、送出２系用転送用装置２１と、送出サーバー（１系）２２と、送出サーバー（２系）２３と、送出制御装置２４と、送出系管理サーバー２５と、管理サーバー２６と、アラーム監視サーバー２７と、アラーム端末２８と、を含む。
【００３２】
ＨＤ用ストレージ１は、第１の格納装置の一例である。ＨＤ用ストレージ１には、ＨＤＴＶ方式のコンテンツ（ＭＰＥＧ２形式の１００Ｍｂｐｓのデータ）が収録される。以下、ＨＤＴＶ方式のコンテンツを、第１の精細度を有する「ＨＤコンテンツ」と称する。
【００３３】
ＳＤ用ストレージ２は、第２の格納装置の一例である。ＳＤ用ストレージ２には、ＳＤＴＶ方式のコンテンツ（ＭＰＥＧ２形式の２０Ｍｂｐｓのデータ）が収録される。以下、ＳＤＴＶ方式のコンテンツを、第２の精細度を有する「ＳＤコンテンツ」と称する。
【００３４】
試写用ストレージ３は、第３の格納装置の一例である。試写用ストレージ３には、ＳＤＴＶ方式よりも低精細のコンテンツ（ＭＰＥＧ４形式の５００Ｋｂｐｓのデータ）が収録される。以下、ＳＤＴＶ方式よりも低精細のコンテンツを、第３の精細度を有する「試写用コンテンツ」と称する。
【００３５】
送出１系用ストレージ４は、第４の格納装置の一例である。送出１系用ストレージ４には、ＨＤ用ストレージ１から転送されたＨＤコンテンツが収録される。
【００３６】
送出２系用ストレージ５は、第５の格納装置の一例である。送出２系用ストレージ５には、ＨＤ用ストレージ１から転送されたＨＤコンテンツが収録される。
【００３７】
ＨＤ用ストレージ１、ＳＤ用ストレージ２、試写用ストレージ３、送出１系用ストレージ４、および、送出２系用ストレージ５は、例えば、ハードディスクにて構成される。
【００３８】
マトリクススイッチャー６は、受付装置の一例であり、マトリクススイッチャー制御装置７によって制御される。
【００３９】
マトリクススイッチャー６は、他の放送局および新聞社等の複数の情報提供元から提供された複数のコンテンツ（例えば、音声付動画像データ）を並列に受け付ける。なお、情報提供元から提供されるコンテンツは、ＨＤＴＶ方式のベースバンド信号（以下「ＨＤベースバンド信号」と称する。）である。
【００４０】
マトリクススイッチャー６は、マトリクススイッチャー制御装置７の制御に基づいて、それら複数のコンテンツの中から収録用のコンテンツを選択し、その収録用のコンテンツを、信号分配装置８に提供する。
【００４１】
マトリクススイッチャー制御装置７は、収録・編集系管理サーバー１３によって制御され、マトリクススイッチャー６を制御する。
【００４２】
信号分配装置８は、マトリクススイッチャー６から提供された収録用コンテンツ（ＨＤベースバンド信号）を、信号変換装置９とＨＤ用収録サーバー１０に提供する。
【００４３】
信号変換装置９は、信号分配装置８から提供された収録用コンテンツ、すなわち、ＨＤベースバンド信号を、ＳＤＴＶ方式のベースバンド信号（以下「ＳＤベースバンド信号」と称する。）に変換する。
【００４４】
信号変換装置９は、ＳＤベースバンド信号の収録用コンテンツを、ＳＤ用収録サーバー１１と試写用エンコーダ１２に提供する。
【００４５】
なお、信号分配装置８と信号変換装置９とで、マトリクススイッチャー６にて受け付けられたコンテンツを分配する分配装置を構成する。
【００４６】
ＨＤ用収録サーバー１０は、第１の収録装置の一例であり、信号分配装置８から提供されたＨＤベースバンド信号の収録用コンテンツを、ＭＰＥＧ２形式の１００Ｍｂｐｓ（第１の精細度）のデータファイルに変換し、そのＭＰＥＧ２形式の１００Ｍｂｐｓのデータファイルを、放送用コンテンツとして、ＨＤ用ストレージ１に収録する。
【００４７】
換言すると、ＨＤ用収録サーバー１０は、ＨＤベースバンド信号の収録用コンテンツを、第１の精細度で、放送用コンテンツとして、ＨＤ用ストレージ１に収録する。
【００４８】
また、ＨＤ用収録サーバー１０は、キーボード等の操作部から送信指示を受け付けた場合、ＨＤ用ストレージ１に収録された放送用コンテンツを、放送番組として、送出サーバー（１系）２２および送出サーバー（２系）２３からの送出に代えて送出（放送）する。
【００４９】
ＳＤ用収録サーバー１１は、第２の収録装置の一例であり、信号変換装置９から提供されたＳＤベースバンド信号の収録用コンテンツを、ＭＰＥＧ２形式の２０Ｍｂｐｓ（第２の精細度）のデータファイルに変換し、そのＭＰＥＧ２形式の２０Ｍｂｐｓのデータファイルを、予備コンテンツとして、ＳＤ用ストレージ２に収録する。
【００５０】
換言すると、ＳＤ用収録サーバー１１は、ＳＤベースバンド信号の収録用コンテンツを、第１の精細度より粗い第２の精細度で、予備コンテンツとして、ＳＤ用ストレージ２に収録する。
【００５１】
また、ＳＤ用収録サーバー１１は、キーボード等の操作部から送信指示を受け付けた場合、ＳＤ用ストレージ２に収録された予備コンテンツを、放送番組として、ＨＤ用収録サーバー１０からの送出に代えて送出（放送）する。
【００５２】
試写用エンコーダ１２は、第３の収録装置の一例であり、信号変換装置９から提供されたＳＤベースバンド信号の収録用コンテンツを、ＭＰＥＧ４形式の５００Ｋｂｐｓ（第３の精細度）のデータファイルに変換し、そのＭＰＥＧ４形式の５００Ｋｂｐｓのデータファイルを、試写用コンテンツとして、試写用ストレージ３に収録する。
【００５３】
換言すると、試写用エンコーダ１２は、ＳＤベースバンド信号の収録用コンテンツを、第２の精細度より粗い第３の精細度で、試写用コンテンツとして、試写用ストレージ３に収録する。
【００５４】
収録制御装置１３は、ＨＤ用収録サーバー１０とＳＤ用収録サーバー１１と試写用エンコーダ１２の収録動作を同期させる。このため、マトリクススイッチャー６から出力されたコンテンツが、異なる精細度で、ＨＤ用ストレージ１、ＳＤ用ストレージ２および試写用ストレージ３にそれぞれ収録される。
【００５５】
収録・編集系管理サーバー１４は、放送用システムの収録動作および編集動作を管理する。
【００５６】
ファイル変換装置１５は、第４の収録装置の一例であり、例えば、ユーザ等から変換指示を受け付けると、ＨＤ用ストレージ１に収録された放送用コンテンツ（ＭＰＥＧ２形式の１００Ｍｂｐｓのデータファイル）を、ＭＰＥＧ２形式の２０Ｍｂｐｓのデータファイルで表されるコンテンツに変換する。
【００５７】
ファイル変換装置１５は、そのＭＰＥＧ２形式の２０Ｍｂｐｓのデータファイルで表されるコンテンツを、予備コンテンツとして、ＳＤ用ストレージ２に収録する。
【００５８】
ファイル変換装置１６は、第５の収録装置の一例であり、例えば、ユーザ等から変換指示を受け付けると、ＳＤ用ストレージ２に収録された予備コンテンツ（ＭＰＥＧ２形式の２０Ｍｂｐｓのデータファイル）を、ＭＰＥＧ４形式の５００Ｋｂｐｓのデータファイルで表されるコンテンツに変換する。
【００５９】
ファイル変換装置１６は、そのＭＰＥＧ４形式の５００Ｋｂｐｓのデータファイルで表されるコンテンツを、試写用コンテンツとして、試写用ストレージ３に収録する。
【００６０】
ＨＤ用ノンリニア編集機１７は、ユーザにて操作され、ＨＤ用ストレージ１に収録されたコンテンツ（データファイル）を、ユーザの操作に基づいて編集する。
【００６１】
ＳＤ用ノンリニア編集機１８は、ユーザにて操作され、ＳＤ用ストレージ２に収録されたコンテンツ（データファイル）を、ユーザの操作に基づいて編集する。
【００６２】
送出装置１９は、ＨＤ用ストレージ１に収録された放送用コンテンツを、放送番組として送出する。送出装置１９は、１系と２系という複数の送出系を有し、１系と２系とから同じ番組を同期して放送する。
【００６３】
１系の出力と２系の出力は、シームレススイッチャー（不図示）に入力する。シームレススイッチャーは、通常は、１系の出力を放送し、１系が故障した場合、２系出力を放送する。なお、シームレススイッチャーの出力は、アラーム監視サーバー２７が１系の不具合の検出に伴って自動的に切り替えてもよいし、ユーザが手動で切り替えてもよい。
【００６４】
１系は、送出１系用転送用装置２０と、送出１系用ストレージ４と、送出サーバー（１系）２２とを含み、２系は、送出２系用転送用装置２１と、送出２系用ストレージ５と、送出サーバー（２系）２３とを含む。
【００６５】
送出１系用転送用装置２０は、第１の転送装置の一例であり、収録・編集系管理サーバー１４の指示に基づいて、ＨＤ用ストレージ１内の放送用コンテンツを、番組コンテンツとして、送出１系用ストレージ４に収録する。
【００６６】
送出２系用転送用装置２１は、第２の転送装置の一例であり、収録・編集系管理サーバー１４の指示に基づいて、ＨＤ用ストレージ１内の放送用コンテンツを、番組コンテンツとして、送出２系用ストレージ５に収録する。
【００６７】
送出サーバー（１系）２２は、第１の番組送出装置の一例であり、送出１系用ストレージ４に収録された番組コンテンツを、放送番組として送出する。
【００６８】
送出サーバー（２系）２３は、第２の番組送出装置の一例であり、送出２系用ストレージ５に収録された番組コンテンツを、放送番組として送出する。
【００６９】
送出制御装置２４は、送出サーバー（１系）２２と送出サーバー（２系）２３の動作を制御する。具体的には、送出制御装置２４は、送出サーバー（１系）２２と送出サーバー（２系）２３とから同一の番組を同じタイミングで送出させる。
【００７０】
送出系管理サーバー２５は、放送用システムの送出動作を管理し、特には、送出制御装置２４を制御する。
【００７１】
管理サーバー２６は、上位システム１００から提供された情報に基づいて、放送用システムの全体的な動作を管理する。
【００７２】
例えば、管理サーバー２６は、上位システム１００から提供された収録に関する情報（例えば、収録予定のコンテンツのメタデータ（収録時間帯およびコンテンツ名等）を受け付け、そのメタデータに基づいて収録・編集系管理サーバー１４を管理してコンテンツの収録を管理する。
【００７３】
また、管理サーバー２６は、上位システム１００から提供された送出に関する情報（例えば、送出予定のコンテンツのメタデータ（送出時間帯およびコンテンツ名等）を受け付け、そのメタデータに基づいて送出系管理サーバー２５を管理してコンテンツの送出を管理する。
【００７４】
また、管理サーバー２６は、収録・編集系管理サーバー１４と送出系管理サーバー２５から、ＨＤ用ストレージ１に収録された放送用コンテンツの情報、ＳＤ用ストレージ２に収録された予備コンテンツの情報、および、試写用ストレージ３に収録された試写用コンテンツの情報を取得し、それらの収録されたコンテンツの情報を管理する。
【００７５】
アラーム監視サーバー２７は、送出サーバー（１系）２２と、送出サーバー（２系）２３と、ＨＤ用収録サーバー１０と、ＳＤ用収録サーバー１１が正常に動作しているか否かを監視する。アラーム監視サーバー２７は、その監視結果をアラーム端末２８に提供する。
【００７６】
アラーム端末２８は、アラーム監視サーバー２７の監視結果を出力（例えば、表示および音声報知）する。
【００７７】
次に、動作を説明する。
【００７８】
管理サーバー２６は、上位システム１００から、収録に関する情報（例えば、収録予定のコンテンツのメタデータ（収録時間帯およびコンテンツ名等）を受け付けると、そのメタデータを、収録・編集系管理サーバー１４に提供する。
【００７９】
収録・編集系管理サーバー１４は、メタデータを受け付けると、マトリクススイッチャー制御装置７を制御して、マトリクススイッチャー６に、そのメタデータで特定されるコンテンツ（ＨＤベースバンド信号）を収録用コンテンツとして選択させ、その収録用のコンテンツを信号分配装置８に提供させる。
【００８０】
例えば、収録・編集系管理サーバー１４に、予め、マトリクススイッチャー６が受け付ける予定のコンテンツの名称およびその情報提供元が登録されている場合、収録・編集系管理サーバー１４は、以下のように動作する。
【００８１】
収録・編集系管理サーバー１４は、コンテンツ名に関するメタデータを受け付けると、そのコンテンツ名に対応する情報提供元を特定し、マトリクススイッチャー制御装置７を制御して、その情報提供元から提供されたコンテンツをマトリクススイッチャー６に選択させる。
【００８２】
信号分配装置８は、マトリクススイッチャー６から収録用のコンテンツを受け付けると、その収録用コンテンツを、信号変換装置９とＨＤ用収録サーバー１０に提供する。
【００８３】
信号変換装置９は、ＨＤベースバンド信号の収録用コンテンツを受け付けると、その収録用コンテンツをＳＤベースバンド信号に変換し、そのＳＤベースバンド信号の収録用コンテンツを、ＳＤ用収録サーバー１１と試写用エンコーダ１２に提供する。
【００８４】
また、収録・編集系管理サーバー１４は、メタデータに示された収録開示時刻になると、収録制御装置１３を制御して、収録制御装置１３から、ＨＤ用収録サーバー１０とＳＤ用収録サーバー１１と試写用エンコーダ１２に、収録開始信号を提供する。
【００８５】
ＨＤ用収録サーバー１０とＳＤ用収録サーバー１１と試写用エンコーダ１２は、収録開始信号を受け付けると、収録動作を開始する。
【００８６】
ＨＤ用収録サーバー１０は、信号分配装置８からＨＤベースバンド信号の収録用コンテンツを受け付けると、そのＨＤベースバンド信号の収録用コンテンツをＭＰＥＧ２形式の１００Ｍｂｐｓのデータファイルに変換し、そのＭＰＥＧ２形式の１００Ｍｂｐｓのデータファイルを、放送用コンテンツとして、ＨＤ用ストレージ１に収録する。
【００８７】
また、ＳＤ用収録サーバー１１は、信号変換装置９からＳＤベースバンド信号の収録用コンテンツを受け付けると、そのＳＤベースバンド信号の収録用コンテンツをＭＰＥＧ２形式の２０Ｍｂｐｓのデータファイルに変換し、そのＭＰＥＧ２形式の２０Ｍｂｐｓのデータファイルを、予備コンテンツとして、ＳＤ用ストレージ２に収録する。
【００８８】
また、試写用エンコーダ１２は、信号変換装置９からＳＤベースバンド信号の収録用コンテンツを受け付けると、そのＳＤベースバンド信号の収録用コンテンツをＭＰＥＧ４形式の５００Ｋｂｐｓのデータファイルに変換し、そのＭＰＥＧ４形式の５００Ｋｂｐｓのデータファイルを、試写用コンテンツとして、試写用ストレージ３に収録する。
【００８９】
なお、ＳＤ用収録サーバー１１に不具合が生じて、ＳＤ用ストレージ２に予備コンテンツが収録されなかった場合、ユーザは、ファイル変換装置１５に変換指示を入力する。
【００９０】
ファイル変換装置１５は、変換指示を受け付けると、ＨＤ用ストレージ１に収録された放送用コンテンツ（ＭＰＥＧ２形式の１００Ｍｂｐｓのデータファイル）を、ＭＰＥＧ２形式の２０Ｍｂｐｓのデータファイルで表されるコンテンツに変換し、そのコンテンツを、予備コンテンツとして、ＳＤ用ストレージ２に収録する。
【００９１】
また、試写用エンコーダ１２に不具合が生じて、試写用ストレージ３に試写用コンテンツが収録されなかった場合、ユーザは、ファイル変換装置１６に変換指示を入力する。
【００９２】
ファイル変換装置１６は、変換指示を受け付けると、ＳＤ用ストレージ２に収録されたコンテンツ（ＭＰＥＧ２形式の２０Ｍｂｐｓのデータファイル）を、ＭＰＥＧ４形式の５００Ｋｂｐｓのデータファイルで表されるコンテンツに変換し、そのコンテンツを、試写用コンテンツとして、試写用ストレージ３に収録する。
【００９３】
ユーザは、ＨＤ用ノンリニア編集機１７を用いて、ＨＤ用ストレージ１に収録されたコンテンツ（データファイル）を編集でき、また、ＳＤ用ノンリニア編集機１８を用いて、ＳＤ用ストレージ２に収録されたコンテンツ（データファイル）を編集できる。
【００９４】
また、収録・編集系管理サーバー１４は、送出１系用転送用装置２０および送出２系用転送用装置２１を制御して、ＨＤ用ストレージ１内の放送用コンテンツを、番組コンテンツとして、送出１系用ストレージ４および送出２系用ストレージ５に収録する。
【００９５】
送出系管理サーバー２５は、管理サーバー２６から、送出予定のコンテンツのメタデータ（送出時間帯およびコンテンツ名等）を受け付けると、そのメタデータに基づいて送出制御装置２４を管理してコンテンツの送出を管理する。
【００９６】
送出制御装置２４は、送出サーバー（１系）２２と送出サーバー（２系）２３とから同一の番組コンテンツを放送番組として同じタイミングで送出させる。
【００９７】
送出サーバー（１系）２２と送出サーバー（２系）２３とから送出された放送番組は、シームレススイッチャー（不図示）に入力する。シームレススイッチャーは、通常は、送出サーバー（１系）２２から送出された放送番組を放送する。
【００９８】
アラーム監視サーバー２７は、送出サーバー（１系）２２の不具合を検出すると、アラーム端末２８に、送出サーバー（１系）２２に不具合が発生した旨の情報を出力させ、さらに、送出サーバー（２系）２３が送出した放送番組をシームレススイッチャーから放送させる。なお、ユーザが、シームレススイッチャーの出力を切り替えてもよい。
【００９９】
なお、アラーム監視サーバー２７が、送出サーバー（１系）２２と送出サーバー（２系）２３の不具合を検出すると、アラーム端末２８に、送出サーバー（１系）２２および送出サーバー（２系）２３に不具合が発生した旨の情報を出力させる。
【０１００】
この場合、ユーザは、ＨＤ用収録サーバー１０の操作部（不図示）に送信指示を入力する。ＨＤ用収録サーバー１０は、送信指示を受け付けると、ＨＤ用ストレージ１に収録された放送用コンテンツを、放送番組として送出する。
【０１０１】
また、アラーム監視サーバー２７が、送出サーバー（１系）２２と送出サーバー（２系）２３とＨＤ用収録サーバー１０の不具合を検出すると、アラーム端末２８に、送出サーバー（１系）２２、送出サーバー（２系）２３およびＨＤ用収録サーバー１０に不具合が発生した旨の情報を出力させる。
【０１０２】
この場合、ユーザは、ＳＤ用収録サーバー１１の操作部（不図示）に送信指示を入力する。ＳＤ用収録サーバー１１は、送信指示を受け付けると、ＳＤ用ストレージ２に収録された予備コンテンツを、放送番組として送出する。
【０１０３】
本実施例によれば、収録制御装置１３は、ＨＤ用収録サーバー１０とＳＤ用収録サーバー１１と試写用エンコーダ１２の収録動作を同期させる。よって、同一のコンテンツが、異なる精細度で、ＨＤ用ストレージ１、ＳＤ用ストレージ２および試写用ストレージ３に収録される。
【０１０４】
ＳＤ用ストレージ２には、精細度が放送用コンテンツには劣るが試写用コンテンツには勝るコンテンツが、予備コンテンツとして収録される。
【０１０５】
このため、予備コンテンツが、放送用コンテンツの予備として用いられれば、試写用コンテンツより高品位のコンテンツを、放送用コンテンツの代わりに提供することが可能になる。
【０１０６】
また、予備コンテンツは、精細度が放送用コンテンツより劣るため、データ量が放送用コンテンツより少ない。このため、ＳＤ用ストレージ２の記録容量を、ＨＤ用ストレージ１の記録容量よりも少なくでき、コストの削減が図れる。
【０１０７】
なお、本実施例では、ファイル変換装置１５は、ＨＤ用ストレージ１に収録されたＨＤコンテンツを、ＳＤコンテンツに変換し、そのＳＤコンテンツを予備コンテンツとして、ＳＤ用ストレージ２に収録する。
【０１０８】
この場合、ＳＤ用収録サーバー１１に不具合が生じても、ＳＤ用ストレージ２に予備コンテンツを収録することが可能になる。
【０１０９】
また、本実施例では、ファイル変換装置１６は、ＳＤ用ストレージ２に収録されたＳＤコンテンツを、ＳＤコンテンツより低精細な試写用コンテンツに変換し、その試写用コンテンツを試写用ストレージ３に収録する。
【０１１０】
この場合、試写用エンコーダ１２に不具合が生じても、試写用ストレージ３に試写用コンテンツを収録することが可能になる。
【０１１１】
また、本実施例では、ＨＤ用収録サーバー１０は、送出指示を受け付けた場合に、ＨＤ用ストレージ１に収録された放送用コンテンツを、放送番組として、送出サーバー（１系）２２および送出サーバー（２系）２３からの送出に代えて送出する。
【０１１２】
この場合、送出サーバー（１系）２２および送出サーバー（２系）２３から番組を送出できなくても、ＨＤ用収録サーバー１０から放送番組を送出することが可能になる。よって、送出系統が３重化され、番組を放送できなくなる不都合を高い確率で回避可能となる。
【０１１３】
また、本実施例では、ＳＤ用収録サーバー１１は、送出指示を受け付けた場合に、ＳＤ用ストレージ２に収録された予備コンテンツを、放送番組として、ＨＤ用収録サーバー１０からの送出に代えて送出する。
【０１１４】
この場合、送出サーバー（１系）２２、送出サーバー（２系）２３、および、ＨＤ用収録サーバー１０から番組を送出できなくても、ＳＤ用収録サーバー１１から放送番組を送出することが可能になる。よって、送出系統が４重化され、番組を放送できなくなる不都合を高い確率で回避可能となる。
【０１１５】
また、本実施例では、第１の精細度は、ＨＤＴＶ方式に対応する精細度であり、第２の精細度は、ＳＤＴＶ方式に対応する精細度である。
【０１１６】
この場合、予備コンテンツは、ＳＤＴＶ方式に準じることになり、例えば、予備コンテンツが、放送番組として送出されても、視聴者は、その放送番組を、地上波アナログ放送用の番組と同様に認識することが可能になる。
【０１１７】
以上説明した実施例において、図示した構成は単なる一例であって、本発明はその構成に限定されるものではない。
【図面の簡単な説明】
【０１１８】
【図１】本発明の一実施例の放送用システムを示したブロック図である。
【符号の説明】
【０１１９】
１      ＨＤ用ストレージ
２      ＳＤ用ストレージ
３      試写用ストレージ
４      送出１系用ストレージ
５      送出２系用ストレージ
６      マトリクススイッチャー
７      マトリクススイッチャー制御装置
８      信号分配装置
９      信号変換装置
１０      ＨＤ用収録サーバー
１１      ＳＤ用収録サーバー
１２      試写用エンコーダ
１３      収録制御装置
１４      収録・編集系管理サーバー
１５      ファイル変換装置
１６      ファイル変換装置
１７      ＨＤ用ノンリニア編集機
１８      ＳＤ用ノンリニア編集機
１９      送出装置
２０      送出１系用転送用装置
２１      送出２系用転送用装置
２２      送出サーバー（１系）
２３      送出サーバー（２系）
２４      送出制御装置
２５      送出系管理サーバー
２６      管理サーバー
２７      アラーム監視サーバー
２８      アラーム端末
【図１】
2008124887.tif 000003